(57)【要約】【課題】データ記録の際、ユーザの利便性を向上させること。【解決手段】外部から入力されるデータの再生を行う再生部１５と、データを記録媒体１９に記録させる制御部１１と、記録媒体１７に記録する記録データを特定する記録データ特定情報とデータの再生及び記録を停止する停止指示情報とを受け付ける指示部１４と、再生部１５により再生されたデータを記録媒体１９に記録させる際、指示部１４により停止指示情報が受け付けられると、記録データ特定情報に基づいて、記録データ特定情報に対応するデータの再生が終了したか否かを判別し、記録データ特定情報に対応するデータの再生が終了したと判別した場合、再生部１５によるデータの再生を停止させ、記録部１７によるデータの記録を停止させる制御部１１と、を備える。【選択図】図１
2008234743.tif 000002
【特許請求の範囲】
【請求項１】
データの再生を行う再生部と、
前記データを記録媒体に記録させる記録部と、
前記記録媒体に記録する記録データを特定する記録データ特定情報と前記データの再生及び記録を停止する停止指示情報とを受け付ける指示部と、
前記再生部により再生されたデータを前記記録媒体に記録させる際、前記指示部により前記停止指示情報が受け付けられると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記記録部による前記データの記録を停止させる制御部と、
を備えたデータ記録装置。
【請求項２】
前記記録データ特定情報は、
前記再生部により再生されるデータの数、及び／または前記データの付加情報に基づく情報である請求項１に記載のデータ記録装置。
【請求項３】
データの再生を行う再生部により再生されたデータを、当該データを記録する記録媒体に記録させる際、前記記録媒体に記録する記録データを特定する記録データ特定情報とデータの再生及び記録を停止する停止指示情報とを受け付ける指示部により前記停止指示情報が受け付けられると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記記録部による前記データの記録を停止させる制御工程を含むデータ記録方法。
【請求項４】
コンピュータを、  
データの再生を行う再生部、
前記データを記録媒体に記録する記録部、
記録データを特定する記録データ特定情報と前記データの再生及び記録を停止する停止指示情報とを受け付ける指示部、
前記再生部により再生されたデータを前記記録媒体に記録させる際、前記指示部により前記停止指示情報が受け付けられると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記記録部による前記データの記録を停止させる制御部、
として機能させるデータ記録プログラム。
【発明の詳細な説明】
【技術分野】
【０００１】
本発明は、データ記録装置、データ記録方法、及びデータ記録プログラムに関する。
【背景技術】
【０００２】
従来から、光情報記録媒体であるＭＤ（Mini Disc）、ＣＤ（Compact Disc）等の楽曲データ（データ）の記録を行うデータ記録装置が知られている。
データ記録装置を用いた技術としては、データを再生する再生装置で実行されるデータ再生動作とデータ記録装置で実行されるデータ記録動作とを同期させる技術が知られている。また、記録するデータを再生装置側でプログラム再生してプログラム順に記録する技術も知られている。
【０００３】
また、録音動作の一時停止の直前に所定時間の無音情報の録音を行う技術が知られている（例えば、特許文献１参照）。
【特許文献１】特開平５−１１４２７６号公報
【発明の開示】
【発明が解決しようとする課題】
【０００４】
しかしながら、上述の従来技術では、ユーザによりデータの記録停止指示の入力があると、データの記録停止が即実行されていた。したがって、ユーザは、所望するデータの記録が終了するのを待った上で、記録停止指示の入力を行う必要があった。すなわち、データ記録の際、ユーザの利便性が悪いという問題があった。
【０００５】
本発明の課題は、データ記録の際、ユーザの利便性を向上させることである。
【課題を解決するための手段】
【０００６】
上記課題を解決するため、請求項１に記載の発明のデータ記録装置は、
データの再生を行う再生部と、
前記データを記録媒体に記録させる記録部と、
前記記録媒体に記録する記録データを特定する記録データ特定情報と前記データの再生及び記録を停止する停止指示情報とを受け付ける指示部と、
前記再生部により再生されたデータを前記記録部に記録させる際、前記指示部により前記停止指示情報が受け付けられると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記記録部による前記データの記録を停止させる制御部と、を備える。
【０００７】
請求項２に記載の発明は、請求項１に記載のデータ記録装置において、
前記記録データ特定情報は、
前記再生部により再生されるデータの数、及び／または前記データの付加情報に基づく情報である。
【０００８】
請求項３に記載の発明のデータ記録方法は、
データの再生を行う再生部により再生されたデータを、当該データを記録する記録部に記録させる際、記録媒体に記録する記録データを特定する記録データ特定情報とデータの再生及び記録を停止する停止指示情報とを受け付ける指示部により前記停止指示情報が受け付けられると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記記録部による前記データの記録を停止させる制御工程を含む。
【０００９】
請求項４に記載の発明のデータ記録プログラムは、
コンピュータを、  
データの再生を行う再生部、
前記データを記録媒体に記録する記録部、
記録データを特定する記録データ特定情報と前記データの再生及び記録を停止する停止指示情報とを受け付ける指示部、
前記再生部により再生されたデータを前記記録部に記録させる際、前記指示部により前記停止指示情報が受け付けられると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記記録部による前記データの記録を停止させる制御部、として機能させる。
【発明の効果】
【００１０】
本発明によれば、データの記録の際、ユーザの利便性を向上させることができる。
【発明を実施するための最良の形態】
【００１１】
以下、添付図面を参照して本発明に係る一実施の形態を詳細に説明する。ただし、発明の範囲は、図示例に限定されない。
【００１２】
先ず、図１を参照して、本実施の形態のオーディオ装置１を説明する。
データ記録装置としてのオーディオ装置１は、楽曲データを再生部１５で再生させ、当該再生した楽曲データを記録媒体１９に記録させる装置である。
オーディオ装置１は、制御部１１と、ＲＯＭ（Read Only Memory）１２と、ＲＡＭ（Random Access Memory）１３と、指示部１４と、再生部１５と、音声処理部１６と、記録部１７と、音声出力部１８と、を備えて構成される。本実施の形態では、オーディオ装置１と、外部メディアである記憶媒体１９と、が通信接続されているものとして説明する。
【００１３】
制御部１１は、オーディオ装置１を中央制御する。制御部１１は、ＲＯＭ１２に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００１４】
制御部１１は、後述する楽曲データ録音プログラムとの協働により、再生部１５により再生された楽曲データを記録媒体１９に記録させる際、指示部１４により停止指示情報が受け付けられると、記録データを特定する記録データ特定情報に基づいて、記録データ特定情報に対応する楽曲データの再生が終了したか否かを判別し、記録データ特定情報に対応する楽曲データの再生が終了したと判別した場合、再生部１５による楽曲データの再生を停止させ、記録部１７による楽曲データの記録を停止させる。
ここで、停止指示情報とは、ユーザにより指示部１４を介して指示された楽曲データの再生及び記録を停止するための情報のことをいう。記録データ特定情報とは、記録データを特定する情報のことをいう。記録データとは、ユーザが記録したいと所望する楽曲データのことをいう。記録データ特定情報の例としては、終了予約モードの設定情報、再生されるデータの数としての曲数設定情報、データの付加情報としての検索情報等が挙げられる。記録データ特定情報に対応する楽曲データとは、終了予約モードの設定情報に対応する楽曲データ、曲数設定情報に対応する楽器データ、検索情報に対応する楽曲データのことをいう。終了予約モードの設定情報、曲数設定情報、検索情報については後述する。
【００１５】
ＲＯＭ１２は、不揮発性メモリであり、楽曲データ記録プログラムを記憶する。ＲＡＭ１３は、揮発性のメモリであり、実行される各種プログラムやこれら各種プログラムに係るデータ等を一時的に記憶するワークエリアを形成する。
【００１６】
指示部１４は、各種入力キー等を備え、ユーザからの各種情報の入力を各種入力キーから受け付け、その情報を制御部１１に出力する。
【００１７】
再生部１５は、外部から入力されるデータとしてのＣＤ１５Ａに記録された楽曲データの再生を行う。再生部１５は、光学ピックアップ及びサーボモータ等から構成される公知の光学読取機構を適用する。
【００１８】
音声処理部１６は、高速のマイクロプロセッサであり、ＣＤの楽曲データを、ＭＰ３（MPEG-1 Audio Layer-3）方式やＷＭＡ（Windows Media (登録商標)Audio）への圧縮／伸張の処理、エラー訂正符号化の処理、ＥＦＭ（Eight to Fourteen Modulation）変調処理等の各種デジタル信号処理を施す。
【００１９】
記録部１７は、ＵＳＢコントローラ等により構成され、制御部１１の指示に基づいて、楽曲データを記録媒体１９に記録する。
【００２０】
音声出力部１８は、信号変換回路、アンプ等を備え、音声信号をイヤホン等（図示省略）に出力する。具体的には、オーディオ装置１より受信された楽曲データが、音声出力部１８において、信号変換回路によりアナログの音声信号に変換され、その音声信号がアンプにより増幅されてイヤホン等から音声出力される。
【００２１】
記録媒体１９は、半導体メモリを搭載したメモリカード、ＵＳＢ（Universal Serial Bus）メモリで構成され、再生部１５で再生される楽曲データが記録される。
【００２２】
次に、図２を参照して、オーディオ装置１で実行される楽曲データ録音処理を説明する。楽曲データ録音処理は、記録データの再生が終了した後に、再生部１５による楽曲データの再生を終了させ、楽曲データの記録媒体１９への記録を停止させる処理である。
【００２３】
例えば、オーディオ装置１において楽曲データ録音処理の実行指示が指示部１４を介して入力されたこと等をトリガとして、ＲＯＭ１３から読み出されて適宜ＲＡＭ１２に格納された楽曲データ録音プログラムと、制御部１１との協働により楽曲データ録音処理が実行される。
【００２４】
予め、再生部１５にＣＤがセットされているとする。また、オーディオ装置１と記憶媒体１９とが通信接続されているとする。
【００２５】
先ず、楽曲データの録音が開始される（ステップＳ１０１）。すなわち、再生部１５により楽曲データの再生が開始され、当該再生された楽曲データが記録媒体１９に記録される。そして、指示部１９を介して入力された記録データ特定情報が受け付けられる（ステップＳ１０２）。ここで、記録データ特定情報には、ユーザの設定による終了予約モードの設定情報、曲数設定情報、検索情報が含まれる。
【００２６】
終了予約モードの設定情報とは、楽曲データの再生を終了予約する設定情報のことをいう。例えば、ユーザが記録データとして現在再生中の楽曲データまでを記録したいとする。この場合、ユーザにより指示部１４を介して終了予約モードが設定される。
【００２７】
曲数設定情報とは、記録データの曲数に関する設定情報のことをいう。例えば、ユーザが記録データとして記録したい楽曲データの曲数が３曲であったとする。この場合、ユーザにより指示部１４を介して「３曲」が設定される。
【００２８】
検索情報とは、記録データのジャンル、アーティスト名、楽曲名、又は楽曲データの終わりを特定するための無音部分を検索するための情報のことをいう。例えば、ユーザが記録データとして記録したい楽曲データの曲名が「ＡＢＣ」であったとする。この場合、ユーザにより「ＡＢＣ」が指示部１４を介して設定される。
【００２９】
ステップＳ１０２の実行後、指示部１４を介して入力された楽曲データの停止指示情報が受け付けられる（ステップＳ１０３）。
【００３０】
ステップＳ１０３の実行後、記録データ特定情報の中に終了予約モード設定情報が有るか否かが判別される（ステップＳ１０４）。記録データ特定情報の中に終了予約モード設定情報がないと判別された場合（ステップＳ１０４；ＮＯ）、楽曲データの録音が停止される（ステップＳ１０５）。すなわち、再生部１５による楽曲データの再生及び楽曲データの記録媒体１９への記録が停止される。
【００３１】
ステップＳ１０４において、記録データ特定情報の中に終了予約モード設定情報があると判別された場合（ステップＳ１０４；ＹＥＳ）、記録データ特定情報の中に曲数設定情報があるか否かが判別される（ステップＳ１０６）。曲数設定情報があると判別された場合（ステップＳ１０６；ＹＥＳ）、曲数設定情報の楽曲データの再生が終了したか否かが判別される（ステップＳ１０７）。例えば、「３曲」の曲数設定情報の場合、「３曲」の楽曲データの再生が終了したか否かが判別される。ここで、楽曲データの再生が終了したか否かの判別は、ＴＯＣ（Table Of Contents）情報に基づいて、楽曲データの最初と最後のアドレスを判別することにより行われる。
【００３２】
曲数設定情報の楽曲データの再生が終了していないと判別された場合（ステップＳ１０７；ＮＯ）、ステップＳ１０７に移行される。曲数設定情報の楽曲データの再生が終了したと判別された場合（ステップＳ１０７；ＹＥＳ）、ステップＳ１０５に移行される。
【００３３】
ステップＳ１０６において、記録データ特定情報の中に曲数設定情報がないと判別された場合（ステップＳ１０６；ＮＯ）、記録データ特定情報の中に検索情報があるか否かが判別される（ステップＳ１０８）。記録データ特定情報の中に検索情報がないと判別された場合（ステップＳ１０８；ＮＯ）、再生中の楽曲データの再生が終了したか否かが判別される（ステップＳ１０９）。楽曲データの再生が終了したか否かの判別は、ＴＯＣ情報に基づいて、楽曲データの最初と最後のアドレスを判別することにより行われる。
【００３４】
ステップＳ１０９において、再生中の楽曲データの再生が終了していないと判別された場合（ステップＳ１０９；ＮＯ）、ステップＳ１０９に移行される。再生中の楽曲データの再生が終了したと判別された場合（ステップＳ１０９；ＹＥＳ）、ステップＳ１０５に移行される。
【００３５】
ステップＳ１０８において、記録データ特定情報の中に検索情報があると判別された場合（ステップＳ１０８；ＹＥＳ）、検索情報に合致する楽曲データがあるか否かが判別される（ステップＳ１１０）。例えば、ユーザが記録データとして記録したい楽曲データの曲名が「ＡＢＣ」であったとする。この場合、「ＡＢＣ」と合致する楽曲データの検索が実行される。検索は楽曲データのタグ情報又はメタデータを用いて実行される。メタデータは、例えば、オーディオ装置３内のＩ／Ｆ（インターフェース）（図示省略）と通信接続されたＰＣ（Personal Computer）等より取得される。このとき、検索の条件として、検索情報の一部分の文字を含んだ情報を検索することとしてもよい。例えば、ユーザにより記録データの検索情報として「Ａ」が設定されたとする。この場合、「Ａ」と「ＡＢＣ」とは、一部分の文字「Ａ」が合致する。すなわち、「Ａ」が検索情報として設定された場合であっても、楽曲名の「ＡＢＣ」を検索することとしてもよい。つまり、検索情報の検索は、検索情報の完全一致に限定されないこととしてもよい。
【００３６】
ステップＳ１１０において、検索情報に合致する楽曲データがあると判別された場合（ステップＳ１１０；ＹＥＳ）、検索情報に合致する楽曲データの再生が終了したか否かが判別される（ステップＳ１１１）。楽曲データの再生が終了したか否かの判別は、ＴＯＣ情報に基づいて、楽曲データの最初と最後のアドレスを判別することにより行われる。
【００３７】
ステップＳ１１１において、検索情報に合致する楽曲データの再生が終了していないと判別された場合（ステップＳ１１１；ＮＯ）、ステップＳ１１１に移行される。検索情報に合致する楽曲データの再生が終了したと判別された場合（ステップＳ１１１；ＹＥＳ）、ステップＳ１０５に移行される。
【００３８】
ステップＳ１１０において、検索情報に合致する楽曲データがないと判別された場合（ステップＳ１１０；ＮＯ）、現在再生中の楽曲データの再生が終了したか否かが判別される（ステップＳ１１２）。楽曲データの再生が終了したか否かの判別は、ＴＯＣ情報に基づいて、楽曲データの最初と最後のアドレスを判別することにより行われる。
【００３９】
現在再生中の楽曲データの再生が終了していないと判別された場合（ステップＳ１１２；ＮＯ）、ステップＳ１１２に移行される。現在再生中の楽曲データの再生が終了したと判別された場合（ステップＳ１１２；ＹＥＳ）、ステップＳ１０５に移行される。ステップＳ１０５の実行後、楽曲データ録音処理は終了する。  
【００４０】
以上、本実施の形態によれば、制御部１１は、停止指示情報が受け付けられると、記録データ特定情報に基づいて、再生中の楽曲データ、曲数設定情報の楽曲データ、及び検索情報に合致する楽曲データの再生が終了したか否かを判別する。そして、当該楽曲データの再生が終了したと判別した場合、再生部１５による楽曲データの再生を停止させ、記録媒体１９への楽曲データの記録を停止させる。これにより、ユーザは、記録データの記録が終了するまで待った上で、記録停止指示の入力を行う必要がない。したがって、データ記録の際、ユーザの利便性を向上させることができる。また、記録データの途中で記録が停止することがないので、記録データを再度、記録する必要がない。したがって、ユーザの作業負担を低減することができる。
【００４１】
また、ユーザにより指示部１４を介して停止指示情報の入力が行われると、再生中の楽曲データ、曲数設定情報の楽曲データ、又は検索情報に合致する楽曲データの再生が終了したときに楽曲データの録音を自動的に停止することができる。
【００４２】
なお、上記実施の形態における記述は、本発明に係るオーディオ装置１の一例であり、これに限定されるものではない。
【００４３】
例えば、上記実施の形態では、記憶媒体１９を、半導体メモリを搭載したメモリカード、ＵＳＢ（Universal Serial Bus）メモリで構成することとしたが、これに限定されるものではない。例えば、記録媒体１９を、オーディオ装置１内のＨＤＤ（Hard Disk Drive）やメモリとしてもよい。また、オーディオ装置１と通信接続された外部装置内のＨＤＤとしてもよく、この外部装置はＤＡＰ（Digital Audio Player）をマスストレージとして用いたものでもよい。
【００４４】
また、オーディオ装置１で再生するデータをＣＤに記録された楽曲データとしたが、これに限定されるものではない。例えば、ＭＤ、ＤＶＤ、半導体メモリを搭載したメモリカード等に記録されたデータの再生や、オーディオ装置３に内蔵されているＨＤＤやメモリに記録されたデータであってもよい。また、チューナから入力されるデータを再生することとしてもよく、このとき再生終了の判別は無音部の検知により行う。
【００４５】
また、楽曲データ録音処理におけるステップＳ１０２の記録データ特定情報の受け付けは、ステップＳ１０１のデータの録音開始前に受け付けることとしてもよい。
【００４６】
その他、上記実施の形態におけるオーディオ装置１の細部構成及び詳細動作に関しても、本発明の趣旨を逸脱しない範囲で適宜変更可能である。
【図面の簡単な説明】
【００４７】
【図１】本発明に係るオーディオ装置１の構成例である。
【図２】楽曲データ録音処理を示すフローチャートである。
【符号の説明】
【００４８】
１    オーディオ装置
１１  制御部
１２  ＲＡＭ
１３  ＲＯＭ
１４  指示部
１５  再生部
１６  音声処理部
１７  記録部
１８  音声出力部
１９  記憶媒体
【図１】
2008234743.tif 000003
【図２】
2008234743.tif 000004